(57)【要約】【課題】本発明は、フレキシブル回路基板をタッチパネルに効果的に固定できるタッチパネルアセンブリを提供することを目的とする。【解決手段】本発明に係るタッチパネルアセンブリは、フレームと、タッチパネル板と、フレキシブル回路基板と、を備える。フレームは底壁を備え、底壁は、底壁の相対する両側にそれぞれ位置する第一表面と第二表面とを備え、タッチパネル板は第二表面に設置され、第一表面にはフック部及び柱体が設置され、フレキシブル回路基板には係合孔及び定位孔が設けられ、定位孔は柱体に挿通され、フレキシブル回路基板が第一方向において移動することが防止され、フレキシブル回路基板が弾性変形すると、フック部は係合孔に挿通され、フレキシブル回路基板が弾性復帰すると、フック部は係合孔に係合され、且つフレキシブル回路基板の上面に当接され、フレキシブル回路基板の、第一方向に直交する第二方向における移動を防ぐ。【選択図】図１
2014146792.tif 000002
【特許請求の範囲】
【請求項１】
フレームと、
タッチパネル板と、
フレキシブル回路基板と、
を備えてなるタッチパネルアセンブリであって、
前記フレームは底壁を備え、前記底壁は、前記底壁の相対する両側にそれぞれ位置する第一表面と第二表面とを備え、前記タッチパネル板は前記第二表面に設置され、前記第一表面にはフック部及び柱体が設置され、前記フレキシブル回路基板には係合孔及び定位孔が設けられ、前記定位孔が柱体に挿通されると、フレキシブル回路基板が第一方向に移動することが防止され、フレキシブル回路基板が弾性変形すると、前記フック部は前記係合孔に挿通され、フレキシブル回路基板が弾性復帰すると、前記フック部は前記係合孔に係合され、且つ前記フレキシブル回路基板の上面に当接され、前記フレキシブル回路基板の、第一の方向に直交する第二の方向への移動を防ぐことを特徴とするタッチパネルアセンブリ。
【請求項２】
前記フレキシブル回路基板は、本体と、該本体の一側から延伸する操作部とを備え、前記操作部は、圧押されると、前記本体はブリッジ状に弾性変形し、前記フレームの前記底壁には前記操作部を収容できるスロットが設けられ、前記操作部は、前記スロットを貫通して前記タッチパネル板に電気的に接続する湾曲部を備えることを特徴とする請求項１に記載のタッチパネルアセンブリ。
【請求項３】
前記底壁には開口が設けられ、前記フレキシブル回路基板の底面には前記開口に収容されるチップが設置されることを特徴とする請求項１又は２に記載のタッチパネルアセンブリ。
【請求項４】
前記フック部は前記第一表面から突設された連接部と、前記連接部から垂直に延伸する当止部とを備え、前記連接部は、前記係合孔の内壁に当止され、前記当止部は、前記フレキシブル回路基板の上面に当止されることを特徴とする請求項１から３の何れか一項に記載のタッチパネルアセンブリ。
【請求項５】
更に外板を備え、前記タッチパネル板は、該外板と前記第二表面との間に挟まれることを特徴とする請求項１から４の何れか一項に記載のタッチパネルアセンブリ。
【発明の詳細な説明】
【技術分野】
【０００１】
本発明は、タッチパネルアセンブリに関するものである。
【背景技術】
【０００２】
従来の技術において、ノートパソコンにおいて、フレキシブル回路基板は粘着剤などによってタッチパネルに固定されるため、粘着剤を多量に使わなければならない。また、時間が経つにつれて、粘着剤は徐々に粘着性を失うため、フレキシブル回路基板がタッチパネルから離脱する場合がある。
【発明の概要】
【発明が解決しようとする課題】
【０００３】
本発明の目的は、前記問題を解決し、フレキシブル回路基板をタッチパネルに効果的に固定できるタッチパネルアセンブリを提供することである。
【課題を解決するための手段】
【０００４】
上記目的を達成するために、本発明に係るタッチパネルアセンブリは、フレームと、タッチパネル板と、フレキシブル回路基板と、を備える。前記フレームは底壁を備え、前記底壁は、前記底壁の相対する両側にそれぞれ位置する第一表面と第二表面とを備え、前記タッチパネル板は前記第二表面に設置され、前記第一表面にはフック部及び柱体が設置され、前記フレキシブル回路基板には係合孔及び定位孔が設けられ、前記定位孔には柱体が挿通され、フレキシブル回路基板が第一方向において移動することが防止され、フレキシブル回路基板が弾性変形すると、前記フック部は前記係合孔に挿通され、フレキシブル回路基板が弾性復帰すると、前記フック部は前記係合孔に係合され、且つ前記フレキシブル回路基板の上面に当接され、前記フレキシブル回路基板の第一方向に直交する第二方向における移動を防ぐ。
【発明の効果】
【０００５】
本発明に係るタッチパネルアセンブリは、柱体が定位孔に挿通し、フック部が係合孔に係合され、且つフレキシブル回路基板の上面に当接することによって、フレキシブル回路基板を効果的に固定することができる。
【図面の簡単な説明】
【０００６】
【図１】本発明の実施形態に係るタッチパネルアセンブリの立体分解図である。
【図２】図１に示すタッチパネルアセンブリのＩＩ部分の拡大図である。
【図３】図１に示すタッチパネルアセンブリの別の視角から見た立体分解図である。
【図４】図１に示すタッチパネルアセンブリの立体組立図である。
【図５】図４に示すタッチパネルアセンブリのＶ−Ｖに沿った断面図であり、フレキシブル回路基板を装着した状態を示す図である。
【図６】図５に示すタッチパネルアセンブリの断面図であり、フレキシブル回路基板を取り外す際の状態を示す図である。
【発明を実施するための形態】
【０００７】
図１〜図３に示したように、本発明の実施形態に係るタッチパネルアセンブリは、フレーム１０と、外板３０と、外板３０に平行に設置されるタッチパネル板５０と、フレキシブル回路基板７０と、を備える。
【０００８】
フレーム１０には、前部に位置する定位部１２と、後部に位置するスロット１７と、が設けられている。定位部１２には、開口１４が設けられ、且つタッチパネル板５０に平行して位置する底壁１３が設けられる。底壁１３は、底壁１３の相対する両側（上側と下側）にそれぞれ位置する第一表面１３１と第二表面１３３とを備える。定位部１２は、更に第一表面１３１に設置された２つのフック部１５と、第一表面１３１から突設された３つの柱体１６と、を備える。２つのフック部１５は、開口１４の両側の中央に隣接する箇所にそれぞれ位置する。各フック部１５は、Ｌ字状を呈し、且つ第一表面１３１から垂直に延伸する連接部１５１と、連接部１５１の上端からスロット１７と離れるように、且つ連接部１５１に対して垂直方向に延伸する当止部１５３と、を備える。３つの柱体１６のうち、２つの柱体１６が、開口１４の前部の両側にそれぞれ隣接され、もう１つの柱体１６が、開口１４の後部の一側に隣接される。
【０００９】
フレキシブル回路基板７０は、本体７１と、本体７１の一側の一部から延出する操作部７３と、本体７１の底面に設置されたチップ７５とを備える。本体７１には、フック部１５に対応する２つの矩形の係合孔７１１が設けられ、また、柱体１６に対応する円形の横断面を有する定位孔７１３、７１５が設けられている。操作部７３は、本体７１から延出する延伸部７３１と、延伸部７３１の末端から下方へ湾曲する湾曲部７３３とを備える。湾曲部７３３は、スロット１７に収容される。この時、本体７１と延伸部７３１とは同一平面上に位置し、且つ底壁１３と平行する。
【００１０】
図４〜図６に示したように、タッチパネルアセンブリを組み立てる際、タッチパネル板５０を、底壁１３の第二表面１３３に設置し、次いで、外板３０をタッチパネル５０上に設置して粘着剤によって固定する。即ち、タッチパネル板５０は、第二表面１３３と外板３０との間に挟まれる。次に、チップ７５を開口１４に収容し、定位孔７１３が開口１４の前部にある二つの柱体１６に挿通するように、フレキシブル回路基板７０を底壁１４に装着する。次いで、底壁１３と平行する方向に湾曲部７３３に外力を加えると、本体７１は、ブリッジ状に弾性変形し、フック部１５の下方に係合孔７１１が位置付けされる。ゆっくり外力を緩めると、本体７１は徐々に弾性復帰して、フック部１５は係合孔７１１に挿通する。この時、各フック部１５の連接部１５１は、対応する係合孔７１１の内壁に当接され、当止部１５３は、フレキシブル回路基板７０の上面に当接される。次に、もう１つの柱体１６が定位孔７１３に挿通するように、本体７１を底壁１３に向けて押圧する。この時、湾曲部７３３は、スロット１７を貫通してタッチパネル板５０に接続される。
【００１１】
湾曲部７３３及びタッチパネル板５０には、互いに電気的に接続されるゴールドフィンガが設けられている。柱体１６が定位孔７１３、７１５にそれぞれ係合されるので、フレキシブル回路基板７０は底壁１３と平行する方向に移動できない。また、フック部１５が係合孔７１１にそれぞれ係合され、その当止部１５３がフレキシブル回路基板７０の上面に当接されるので、フレキシブル回路基板７０は、底壁１３に対して垂直する方向においても移動することができない。
【００１２】
図６を参照すると、取り外す際、底壁１３と平行する方向に再び湾曲部７３３に外力を加え、本体７１を再びブリッジ状に弾性変形させる。この時、フック部１５の当止部１５３は、フレキシブル回路基板７０から離脱し、フック部１５も係合孔７１１から退出可能となり、フレキシブル回路基板７０を底壁１３から離れるように移動させれば、フレキシブル回路基板７０を取り外すことができる。
【符号の説明】
【００１３】
１０  フレーム
１２  定位部
１３  底壁
１３１  第一表面
１３３  第二表面
１４  開口
１５  フック部
１５１  連接部
１５３  当止部
１６  柱体
１７  開口
３０  外板
５０  タッチパネル板
７０  フレキシブル回路基板
７１  本体
７１１  係合孔
７１３、７１５  定位孔
７３  操作部
７３１  延伸部
７３３  湾曲部
７５  チップ
【図１】
2014146792.tif 000003
【図２】
2014146792.tif 000004
【図３】
2014146792.tif 000005
【図４】
2014146792.tif 000006
【図５】
2014146792.tif 000007
【図６】
2014146792.tif 000008